(57)【要約】【課題】使用時においては、開かれた表示部はキーボードの略中央にくるため、使用者が表示部を見ながらキーボードを使いやすく、また、キーボードキーの押下時におけるキーボードのガタつきを防止する。【解決手段】携帯型電子機器1は、細長形状の台座１０と、表示部１４を有する表示板１３と、第１のキーボード部１１と、第２のキーボード部１２と、を備える。収納状態において、台座１０と表示部１４との間に第１のキーボード部１１及び第２のキーボード部１２が位置され、展開状態において、台座１０に対して第１のキーボード部１１が摺動し、第２のキーボード部１２が第１のキーボード部１１に反する方向に回動して、第１のキーボード部１１及び第２のキーボード部１２に対して表示部が略中央に位置される。また、第１のキーボード部１１は、第１の脚部１５によって支えられる。第２のキーボード部１２は、第２の脚部１６によって支えられる。【選択図】図１
2010086127.tif 000002
【特許請求の範囲】
【請求項１】
台座と、前記台座に対して開閉可能な表示部と、折り畳み可能なキーボードと、を備え、
前記キーボードは、前記台座に対して摺動可能な第１のキーボード部と、前記第１のキーボード部に対して回動可能な第２のキーボード部と、を有し、収納状態において第１のキーボード部及び第２のキーボード部のキースイッチ面が対向し合う携帯型電子機器であって、
収納状態において、前記台座と前記表示部との間に前記第１のキーボード及び前記第２のキーボードが位置され、展開状態において、前記台座に対して前記第１のキーボード部が摺動し、前記第２のキーボード部が前記第１のキーボード部に反する方向に回動して、前記第１のキーボード部及び前記第２のキーボード部に対して前記表示部が略中央に位置されることを特徴とする携帯型電子機器。
【請求項２】
台座と、前記台座に対して開閉可能な表示部と、折り畳み可能なキーボードと、を備え、
前記キーボードは、前記台座に対して摺動可能な第１のキーボード部と、前記第１のキーボード部に対して回動可能な第２のキーボード部と、を有し、収納状態において第１のキーボード部及び第２のキーボード部のキースイッチ面が対向し合う携帯型電子機器であって、
展開状態において、前記第１のキーボード部下部及び前記第２のキーボード部下部には、前記台座の高さ分の脚部が位置されることを特徴とする携帯型電子機器。
【請求項３】
前記脚部は、前記第１のキーボード部の側端に設けられた第１の脚部と、前記台座の一端に設けられたスライド移動可能な第２の脚部と、であることを特徴とする請求項２記載の携帯型電子機器。
【請求項４】
前記第２の脚部は、付勢手段による脚板の出し入れが可能であって、常時は台座を押圧して付勢され、スライド移動によって脚板が台座から離れると付勢が解除されて台座上方の第２のキーボード部方向に突出する機構を有することを特徴とする請求項３記載の携帯型電子機器。
【請求項５】
前記台座には、他端に前記第１の脚部を収容可能な凹部が形成されていることを特徴とする請求項３又は４記載の携帯型電子機器。
【請求項６】
前記キーボードは、そのキーボードキーが６段配置であることを特徴とする請求項１から５記載の携帯型電子機器。
【発明の詳細な説明】
【技術分野】
【０００１】
本発明は、ノート型パソコンやＰＤＡ等の携帯型電子機器に係り、特に折り畳み可能なキーボードと表示部を備える携帯型電子機器に関するものである。
【背景技術】
【０００２】
ノートパソコンやＰＤＡ等の携帯型電子機器は、より小型であることが携帯性を高めるために求められている。一方、入力の速度や入力のしやすさを考慮すると、ＱＷＥＲＴＹ配列をし、手の大きさに適合したフルキーボードが適している。しかし、上記キーボードを液晶などの表示部と組み合わせた携帯型電子機器では、キーボードの横幅で大きさが制限され、小型にすることは出来ない。このような要請に応えるために、折り畳み可能なキーボードと液晶表示部を備える携帯型電子機器が、特許文献１に示されている。
【０００３】
この携帯型電子機器は、２分割されたキーボードが、収納状態において台座内に収められ、液晶表示部と重ね合わされ、展開状態において一部が台座外に位置し、フルキーボードとして使用できるように意図されたものである。
【０００４】
【特許文献１】米国特許公報6,798,649（FIG.2A，FIG.2E，FIG.5B等）
【発明の開示】
【発明が解決しようとする課題】
【０００５】
しかしながら、この種の折り畳み可能なキーボードにおいては、収納状態では折り畳んだキーボードと表示部が台座上にコンパクトに重なりあわなければ携帯性で問題になるが、一方使用時にそれをそのまま開放すると、表示部がキーボードの中心にこず、ユーザが表示部を見ながらキーボードを使用する際に使いづらい。
【０００６】
また、展開状態において、ユーザが台座外に位置するキーボードのキースイッチを押下すると、台座の厚み分の空間により、キーボードがガタつき、キースイッチの操作性が良くないという問題がある。
【０００７】
また、分割されたキーボードを折り畳んだ際の分割面を塞ぐような構成はなく、これでは、分割面からゴミが入り故障の原因となったり、内部に備えられている回路基板やフレキシブルコネクタ等の内蔵物が見えて外観上良くないという問題がある。
【０００８】
さらには、キーボードの配列が英語圏の場合、その配置は縦４列ないし５列で構成可能であるが、日本語入力を主とする日本語や漢字圏の場合、縦６列の必要性が高い。ＪＩＳ規格でもＪＩＳ  Ｘ  ６００２−１９８０で6列が規格化されている（以降、この規格に適合したキーボードをＪＩＳキーボードと略称する）。このような６列のキーボードを分割構造とすると、キー配列を右側と左側に分ける構造が非常に複雑になり、縦６列の折り畳みキーボードは携帯型電子機器には採用されてこなかった。
【０００９】
本発明はこのような点に鑑みてなされたものであり、使用時においては、開かれた表示部はキーボードの略中央にくるため、使用者が表示部を見ながらキーボードを使いやすく、さらに、日本語入力が可能な縦６列のキーボード配列を有する、折り畳みキーボードを有する携帯型電子機器を提供することを目的とする。また、キーボードキーの押下時におけるキーボードのガタつきを防止し、コンパクトに収納することが可能な折り畳み可能なキーボードを有する携帯型電子機器を提供することを目的とする。
【課題を解決するための手段】
【００１０】
以上の課題を解決するため、本発明に係る携帯型電子機器は、台座と、台座に対して開閉可能な表示部と、折り畳み可能なキーボードと、を備え、このキーボードは、台座に対して摺動可能な第１のキーボード部と、第１のキーボード部に対して回動可能な第２のキーボード部と、を有し、収納状態において第１のキーボード部及び第２のキーボード部のキースイッチ面が対向し合う携帯型電子機器であって、収納状態において、台座と表示部との間に第１のキーボード部及び第２のキーボード部が位置され、展開状態において、台座に対して第１のキーボード部が台座の位置を越えて摺動し、第１のキーボードの長辺方向の略半分の箇所が台座と接し、第２のキーボード部が第１のキーボード部に反する方向に回動して、第２のキーボードの長辺方向の略半分の箇所が台座と接し、第１のキーボード部及び第２のキーボード部に対して表示部が略中央に位置されることを特徴とする。
【００１１】
本発明によれば、展開している最中に、表示部に対して第１のキーボード部と第２のキーボード部の位置を摺動・回動により変化させていき、展開状態においては、第１のキーボード部及び第２のキーボード部に対して表示部が略中央に位置されて、結果的に表示部を中央に配置することができるので、表示部を見ながら操作するユーザの操作性の向上が図れる。
【００１２】
また、本発明に係る携帯型電子機器は、台座と、台座に対して開閉可能な表示部と、折り畳み可能なキーボードと、を備え、このキーボードは、台座に対して摺動可能な第１のキーボード部と、第１のキーボード部に対して回動可能な第２のキーボード部と、を有し、収納状態において第１のキーボード部及び第２のキーボード部のキースイッチ面が対向し合う携帯型電子機器であって、展開状態において、第１のキーボード部下部及び第２のキーボード部下部には、台座の高さ分の脚部が位置されることを特徴とする携帯型電子機器。
【００１３】
本発明によれば、展開状態において台座の上方に位置する第１のキーボード部と第２のキーボード部とが台座と接しない箇所に、台座の高さ分の脚部を設けることによって、キーボード下方にできる空間により両キーボードがガタつくのを防止することができる。
【００１４】
また、本発明に係る携帯型電子機器は、脚部が、第１のキーボード部の側端に設けられた第１の脚部と、台座の一端に設けられたスライド移動可能な第２の脚部と、であることを特徴とする。
【００１５】
本発明によれば、台座の上部に位置する第１のキーボード部と第２のキーボード部について、それぞれに設けられた第１の脚部と第２の脚部によって、キーボード下方にできる空間により両キーボードがガタつくのを防止することができる。すなわち、収納状態においては、台座上部に第１のキーボード部が位置し、台座上方であって第１のキーボード部の上部に第２のキーボード部が位置するが、展開状態においては、第１のキーボード部が台座を摺動し、これに伴い第２のキーボード部も回動可能となって第１のキーボード部から離れて開くことから、台座の両端を突出して第１のキーボード部と第２のキーボード部が位置することとなり、台座が位置しないキーボード領域においてガタつきが生じてしまうが、台座が位置しないキーボード領域に第１の脚部と第２の脚部が位置することにより、かかるガタつきを防止することができる。
【００１６】
また、本発明に係る携帯型電子機器は、前記第２の脚部が、付勢手段による脚板の出し入れが可能であって、常時は台座を押圧して付勢され、スライド移動によって脚板が台座から離れると付勢が解除されて台座上方の第２のキーボード部方向に突出する機構を有することを特徴とする。
【００１７】
本発明によれば、収納状態においては台座を押圧し、展開状態においては台座上方に突出する第２の脚部を有することで、必要に応じて第２の脚部を出し入れすることが容易にでき、コンパクトな収納を可能とする。
【００１８】
また、本発明に係る携帯型電子機器は、台座には、他端に前記第１の脚部を収容可能な凹部が形成されていることを特徴とする。
【００１９】
本発明によれば、第１のキーボード部の摺動に伴って相対的に変位する第１の脚部について、収納状態においても第１のキーボード部から突出した凸条を台座に形成された凹部に収容することができるので、コンパクトな収納を可能とする。
【００２０】
また、本発明に係る携帯型電子機器は、そのキーボードキーが６段配置であることを特徴とする。
【００２１】
本発明によれば、日本語入力が可能な縦６列のキーボード配列を可能とする、折り畳みキーボードを有する携帯型電子機器を提供することができる。
【発明の効果】
【００２２】
以上、本発明によれば、キーボードの展開状態において、キーボードの略中央に表示部が位置することができ、キーボードキーが６段配置であることから、ローマ字のみならず、日本語入力が可能な縦６列のキーボード配列を有し、特殊キー等多くのキーの配置も可能となっている。また、キーボードの展開状態において、第１のキーボード部下部及び第２のキーボード部下部には台座の高さ分の脚部が位置されることによって（第１のキーボード部を支える第１の脚部と第２のキーボード部を支える第２の脚部とによって）、キーボードキーの押下時におけるキーボードのガタつきを防止することができ、また、かかる第１の脚部と第２の脚部を台座から突出しないようにして、コンパクトな収納を可能にする。
【発明を実施するための最良の形態】
【００２３】
以下、本発明の実施の形態について、図面に基づいて説明する。
【００２４】
図１は、本発明の実施の形態に係る携帯型電子機器１の展開状態を示した図であり、（ａ）は平面図、（ｂ）は正面図である。また、図２は、本発明の実施の形態に係る携帯型電子機器１の展開状態を示した背面図である。
【００２５】
携帯型電子機器１は、細長形状の台座１０と、表示部１４を有する表示板１３と、第１のキーボード部１１と、第２のキーボード部１２と、横プレート部１８と、ヒンジ部２１（図３参照）と、を備える。
【００２６】
台座１０は、表示板１３を開閉可能に構成する回転軸（図示しない）が内部に設けられる円筒体１７が形成されており、この円筒体１７を中心として台座１０に対して表示板１３に設けられた表示部１４の開閉動作を可能にしている。また、台座１０の背面側であって、台座１０の左側（図２参照）には、スライド移動可能な第２の脚部１６が設けられている。すなわち、台座１０には、第２の脚部１６のガイド板１６ａの摺動を横方向に規制するガイドレール１０ａ，１０ａ'が形成されており、ガイドレール１０ａ，１０ａ'に沿ってガイド板１６ａを摺動させることにより、第２の脚部１６を台座１０からスライド移動して突出させることができる。第２の脚部１６には、ガイド板１６ａと付勢される脚板１６ｂが設けられているが、これらの機構については後述する。
【００２７】
表示板１３は、ＬＣＤディスプレイ等からなる表示部１４を有し、さらに、円筒体１７内部に設けられている回転軸（図示しない）を支持する支持体１３ａ，１３ｂが両端に形成されている。
【００２８】
第１のキーボード部１１は、支持体１１ａ上に複数のキースイッチ２０が配置されている。また、第２のキーボード部１２も同様に、支持体１２ａ上に複数のキースイッチ２０が配置されている。すなわち、第１のキーボード部１１と第２のキーボード部１２とに２分割されたキーボードは、展開状態において横長矩形状となり、第１のキーボード部１１と第２のキーボード部１２とはフレキシブルコネクタ等を介して電気的に接続されている。なお、６段配置のキーボードキーにおいて、第１のキーボード部１１と第２のキーボード部１２との分割面は図５に示す通りであり、ＪＩＳ規格に準拠したキーボードによればキーボードキー配置が碁盤の目状に整列せずに波状になっている。
【００２９】
第１のキーボード部１１の支持体１１ａ裏面（キーボードスイッチが配置された面とは反対の面）には、台座１０に対しての摺動方向を規制するガイド凸条１１ｂが設けられている。また、台座１０にはガイド凸条１１ｂの位置に対応してガイド凹条１０ｂが形成されている。なお、支持体１１ａの右端（図２参照）には、収納状態において、ガイド凹条１０ｂの開放端を係合して塞ぐための係合凸部１１ｃが設けられている。この係合凸部１１ｃは、ガイド凸条１１ｂとは離間して設けられ、ガイド凹条１０ｂに係合凸部１１ｃが係合することにより、ガイド凹条１０ｂの開放端から携帯型電子機器１内に埃や塵等の異物が入るのを防止する。
【００３０】
また、第１のキーボード部１１の支持体１１ａ裏面には、第１の脚部１５が設けられている。第１の脚部１５の高さｈ１は、第１のキーボード部１１下面から台座１０下面の長さと略同一にしてなり、第１のキーボード部１１のキースイッチ２０を押圧する際に、第１のキーボード部１１がぐらつくのを防止する。なお、台座１０には、収納状態において、第１の脚部１５を台座１０内に収めるための収容凹部１０ｃが設けられており、第１の脚部１５を台座１０内に収容して美観を損ねることを防止する。
【００３１】
横プレート部１８は、台座１０とヒンジ部２１との間に連結され、第２のキーボード部１２の回動に伴って起伏動可能に取り付けられている。横プレート部１８は、図３に示すように、収納状態において、台座１０と第１のキーボード部１１の各厚みの和より幅広に形成され、キーボードを折り畳んだ際の収納状態において、互いのキースイッチ２０同士の干渉を防止し、また、横プレート部１８が蓋となって、台座１０と第１のキーボード部１１の開放端から携帯型電子機器１内に埃や塵等の異物が入るのを防止する。また、美観の点からも携帯型電子機器の内蔵物３０を隠すことができる。
【００３２】
図３（ａ）を参照して、ヒンジ部２１は、長手のヒンジ手２１ａとヒンジ板２１ｂとがコの字状に一体形成され、ヒンジ手２１ａ側は第２のキーボード部１２と、ヒンジ板２１ｂ側は横プレート部１８と、それぞれ連絡されている。ヒンジ板２１ｂの形状は、キーボードのキースイッチ２０の段数に応じた凹凸面を有しており、第２のキーボード部１２の分割形状と対称に形成されることにより、収納状態において、第２のキーボード部１２の分割形状と凹凸面を有するヒンジ板２１ｂとを当接させることができる。なお、ヒンジ板２１ｂの凹凸形状は、第１のキーボード部１１の分割形状と同一でもある。このように、第１のキーボード部１１とヒンジ部２１とが凹凸面を有するのは、ＪＩＳ規格に準拠したキーボードキー配置が碁盤の目状に整列せずに段階的な波状になっているためである。
【００３３】
また、図３（ｂ）及び（ｃ）を参照して第1のキーボード部１１と第２のキーボード部１２との連結態様について説明する。なお、図３（ｂ）及び（ｃ）では、キーボードのキースイッチの図示を省略している。
【００３４】
展開途中では、第１のキーボード部１１を左方向に摺動させることで第２のキーボード部１２が時計回りに回動し、或いは、第２のキーボード部１２を時計回りに回動させることで第１のキーボード部１１が左方向に摺動するなど、第１のキーボード部１１と第２のキーボード部１２は連結点Ａ，Ａ'に位置する連結軸を介して両者の開閉角を変化させる。両キーボードの開閉角が大きくなるに従って（０度→１８０度）、ヒンジ手２１ａは台座１０と徐々に並行に位置するように近づき、横プレート部１８は伏降状態となる。
【００３５】
収納途中では、第１のキーボード部１１を右方向に摺動させることで第２のキーボード部１２が反時計回りに回動し、或いは、第２のキーボード部１２を反時計回りに回動させることで第１のキーボード部１１が右方向に摺動するなど、第１のキーボード部１１と第２のキーボード部１２は連結点Ａ，Ａ'に位置する連結軸を介して両者の開閉角を変化させる。両キーボードの開閉角が小さくなるに従って（１８０度→０度）、ヒンジ手２１ａは台座１０と徐々に並行になるように第１のキーボード部１１上に位置し、横プレート部１８は起立状態となる。このとき、第１のキーボード部１１の支持体１１ａは、連結点Ａ，Ａ'よりも第２のキーボード部１２側に突出した薄板部が一体形成されており、この薄板部の先端が横プレート部１８と当接する。第１のキーボード部１１が連結点Ａ，Ａ'を最終端とせずに、連結点Ａ，Ａ'よりも先に薄板部を形成して最終端を延ばしているのは、第１のキーボード部１１の分割面の形状が凹凸で、凸部分（図５では、アルファベットの「Ｕ」のキースイッチに相当する部分）の長さ分も考慮しているためである。
【００３６】
このように、携帯型電子機器１は、台座１０と、台座１０に対して開閉可能な表示部１４と、折り畳み可能なキーボード１１，１２と、を備え、これらのキーボードは、台座１０に対して摺動可能な第１のキーボード部１１と、第１のキーボード部１１に対して回動可能な第２のキーボード部１２と、を有し、収納状態において第１のキーボード部１１及び第２のキーボード部１２のキースイッチ面が対向し合う。台座１０と第２のキーボード部１２とは、第２のキーボード部１２の分割面の形状と対称な凹凸面の形状を有するヒンジ部２１で連結されており、収納状態において、分割面と凹凸面とが当接する。これにより、第２のキーボード部１２の分割面とヒンジ部２１の凹凸面とが対称な形状を有することから、収納状態において分割面と凹凸面とを当接させることができ、外部からのゴミが中に入りにくく、美観の点からも携帯型電子機器１の内蔵物３０を隠すことができる。
【００３７】
また、携帯型電子機器１は、台座１０の他端には、第２のキーボード部１２の回動に伴って起伏動可能な横プレート部１８が取り付けられており、収納状態において横プレート部１８が起立して、台座１０と第１のキーボード部１１の分割面とを覆う構成となっており、これによれば、横プレート部１８が台座１０に対して起立することにより、台座１０の厚み方向と第１のキーボード部１１の厚み方向とに形成された開放端を横プレート部１８で覆うことができるので、収納状態において、外部からのゴミが中に入りにくく、美観の点からも携帯型電子機器１の内蔵物３０を隠すことができる。
【００３８】
このように、第１のキーボード部１１、第２のキーボード部１２、ヒンジ部２１、横プレート部１８によって、台座１０及び表示板１３に対する第１のキーボード部１１と第２のキーボード部１２との位置決めがなされる。特に、第１のキーボード部１１を台座１０の横方向の長さの略半分だけ摺動させることで、第１のキーボード部１１と第２のキーボード部１２との分割面が台座１０及び表示板１３の略中央に位置するので、表示板１３（表示部１４）に対して、連結された第１のキーボード部１１と第２のキーボード部１２が略中央に配置されるようになる。
【００３９】
なお、本実施形態において、表示板１３を摺動して連結された第１のキーボード部１１と第２のキーボード部１２が略中央に配置されるように構成することも可能ではあるが、表示板１３を摺動するフレームレール等が別途必要となり、構成が煩雑となるので、第１のキーボード部１１を摺動させることが好ましい。
【００４０】
次に、第２の脚部１６の機構について、図４を用いて説明する。図４は、本発明の実施の形態に係る携帯型電子機器１の第２の脚部１６の機構を説明するための図である。
【００４１】
第２の脚部１６は、ガイド板１６ａと脚板１６ｂとが同一の回動軸２３によって回動可能に連結されており、回動軸２３にはバネ体２４が巻回されて脚板１６ｂを付勢している。図４（ａ）は、脚板１６ｂが台座１０を付勢によって押圧している状態を示し、図４（ｂ）は、脚板１６ｂをスライド移動して脚板が台座１０から離れて付勢が解除されて、脚板１６ｂが台座上方（略鉛直方向）に突出している状態を示す。脚板１６ｂの高さｈ２は、第２のキーボード部１２下面から台座１０下面の長さと略同一にしてなり（図１（ｂ）参照）、第２のキーボード部１２のキースイッチ２０を押圧する際に、第２のキーボード部１２がぐらつくのを防止する。また、第２の脚部１６の収納状態においては、突出している脚板１６ｂをガイド板１６ａと略平行にして引っ込めることができるから、美観を損ねることを防止する。
【００４２】
以上、本発明の実施の形態によれば、第１の脚部１５及び第２の脚部１６によって、キーボードをしっかり固定し、台座１０とキーボードとの隙間に起因したキーボードキーの押圧により生じるガタつきを防止することができる。また、収納時は、第１の脚部１５及び第２の脚部１６を台座１０内にしまうことにより、コンパクトな形となり、美観を損ねることを防止する。
【００４３】
また、ヒンジ部２１の形状を、分割したキーボードの分割面と対称に形成することにより、収納状態において、分割面をほぼ埋めることができるので、外部からのゴミが中に入りにくく、また、美観の点からも、携帯型電子機器１の内蔵物を隠すことができる。
【００４４】
また、台座１０及び第１のキーボード部１１の厚みの和より幅広に形成された横プレート部１８により、キーボードを折り畳んだ際に、互いのキースイッチ２０同士の干渉を防止し、台座１０と第１のキーボード部１１の開放端から携帯型電子機器１内に埃や塵等の異物が入るのを防止する。
【００４５】
また、キーボード配列が縦方向に６段あることにより、ローマ字、特殊キー配列が可能となっている。
【００４６】
なお、上述した実施形態においては、第１のキーボード部１１の側端に設けられた第１の脚部１５と、台座１０の一端に設けられたスライド移動可能な第２の脚部１６と、によって脚部を構成しているが、これに限らずに、例えば図６に示すように、台座１０の両端にスライド移動可能な第１の脚部１５'と第２の脚部１６とを設けて、これらの脚部１５'，１６を互いに反対方向にスライド移動可能に構成することによっても、キーボード下方にできる空間により両キーボードがガタつくのを防止することができる。なお、１５'ａは１６ａと、１５'ｂは１６ｂと同一構成である。
【図面の簡単な説明】
【００４７】
【図１】本発明の実施の形態に係る携帯型電子機器の展開状態を示した図である。
【図２】本発明の実施の形態に係る携帯型電子機器の展開状態を示した背面図である。
【図３】ヒンジ部の部分拡大斜視図である。
【図４】本発明の実施の形態に係る携帯型電子機器の第２の脚部の機構を説明するための図である。
【図５】第１のキーボード部と第２のキーボード部との分割面を示す図である。
【図６】本発明の実施の形態に係る携帯型電子機器の変形例を示す図である。
【符号の説明】
【００４８】
１  携帯型電子機器
１０  台座
１１  第１のキーボード部
１２  第２のキーボード部
１３  表示板
１４  表示部
【図１】
2010086127.tif 000003
【図２】
2010086127.tif 000004
【図３】
2010086127.tif 000005
【図４】
2010086127.tif 000006
【図５】
2010086127.tif 000007
【図６】
2010086127.tif 000008